(57)【要約】【課題】コンテンツの再生時間帯毎の他のコンテンツへのリンクを実現することのできる情報表示装置を提供する。【解決手段】再生時間帯毎に関連した情報である付加情報がリンクされているコンテンツを表示する第１表示手段と、第１表示手段による前記コンテンツの表示中に付加情報の再生要求を受け付ける受付手段と、受付手段により再生要求が受け付けられた際のコンテンツの再生時間帯に応じたリンク先から付加情報を取得し表示する第２表示手段と、を備える情報表示装置。【選択図】図１
2013140542.tif 000002
【特許請求の範囲】
【請求項１】
再生時間帯毎に関連した情報である付加情報がリンクされているコンテンツを表示する第１表示手段と、
前記第１表示手段による前記コンテンツの表示中に前記付加情報の再生要求を受け付ける受付手段と、
前記受付手段により前記再生要求が受け付けられた際の前記コンテンツの再生時間帯に応じたリンク先から前記付加情報を取得し表示する第２表示手段と、
を備える情報表示装置。
【請求項２】
前記コンテンツには前記再生要求を行うための操作画像を表示するための情報が付加され、
前記第１表示手段は、前記コンテンツとともに前記操作画面を表示し、
前記受付手段は、前記操作画面の操作により行われた前記付加情報の再生要求を受け付ける請求項１記載の情報表示装置。
【請求項３】
前記コンテンツには、前記操作画面の表示位置を示す位置情報および前記操作画面に表示される文字を示す文字情報が、前記コンテンツの再生時間帯に応じて付加され、
前記第１表示手段は、前記位置情報に従い前記操作画面を所定の位置に表示するとともに、前記文字情報に従い前記操作画面に所定の文字を表示する請求項２記載の情報表示装置。
【請求項４】
コンテンツおよび前記コンテンツの再生時間帯毎にリンクされている関連した情報である付加情報を記憶する記憶手段と、
前記記憶手段から前記コンテンツを呼び出し配信する第１配信手段と、
前記付加情報の再生要求を受け付ける受付手段と、
前記受付手段による前記再生要求を受け付けたときの前記コンテンツの再生時間帯に応じた前記付加情報を前記記憶手段から呼び出し配信する第２配信手段と、
を備える情報配信装置。
【請求項５】
前記記憶手段からの前記コンテンツの呼び出し時に、前記再生要求を行うための操作画面を表示するための情報を付加する付加手段を備え、
前記受付手段は、前記操作画面により行われた前記再生要求を受け付ける請求項４記載の情報配信装置。
【請求項６】
再生時間帯毎に関連した情報である付加情報がリンクされているコンテンツを表示する第１表示手段と、
前記第１表示手段による前記コンテンツの表示中に前記付加情報の再生要求を受け付ける受付手段と、
前記受付手段により前記再生要求が受け付けられた際の前記コンテンツの再生時間帯に応じたリンク先から前記付加情報を取得し表示する第２表示手段と、
をコンピュータに実行させるためのプログラム。
【発明の詳細な説明】
【技術分野】
【０００１】
本発明の実施形態は、情報表示装置、情報配信装置およびプログラムに関する。
【背景技術】
【０００２】
従来、ショッピングモール等の商業施設や、地下街等においては、デジタルサイネージ端末装置による広告やイベント情報等のコンテンツ表示が行われている。
【発明の概要】
【発明が解決しようとする課題】
【０００３】
ところで、コンテンツを再生するデジタルサイネージ端末においては、コンテンツの再生時間帯に合わせた他のコンテンツへのリンクを実現することが求められている。
【課題を解決するための手段】
【０００４】
本実施形態の情報表示装置は、再生時間帯毎に関連した情報である付加情報がリンクされているコンテンツを表示する第１表示手段と、第１表示手段による前記コンテンツの表示中に付加情報の再生要求を受け付ける受付手段と、受付手段により再生要求が受け付けられた際のコンテンツの再生時間帯に応じたリンク先から付加情報を取得し表示する第２表示手段と、を備える。
【図面の簡単な説明】
【０００５】
【図１】図１は、本実施形態に係る情報処理システムの概略構成を示すブロック図である。
【図２】図２は、デジタルサイネージ端末装置の外観正面図である。
【図３】図３は、デジタルサイネージ端末装置の概略構成を示すブロック図である。
【図４】図４は、情報配信サーバの概略構成を示すブロック図である。
【図５】図５は、コンテンツ情報テーブルのデータ構成を示す図である。
【図６】図６は、リンク先コンテンツ情報テーブルのデータ構成を示す図である。
【図７】図７は、本実施形態に係る情報配信サーバの機能構成を示すブロック図である。
【図８】図８は、本実施形態に係るデジタルサイネージ端末装置の機能構成を示すブロック図である。
【図９】図９は、デジタルサイネージ端末装置のディスプレイユニットに表示される画面の一例を示す図である。
【図１０】図１０は、デジタルサイネージ端末装置のディスプレイユニットに表示される画面の一例を示す図である。
【図１１】図１１は、情報配信サーバにおけるコンテンツの配信処理の流れを示すフローチャートである。
【図１２】図１２は、別の実施例に係るデジタルサイネージ端末装置の機能構成を示すブロック図である。
【図１３】図１３は、別の実施例に係るデジタルサイネージ端末装置におけるコンテンツの再生処理の流れを示すフローチャートである。
【発明を実施するための形態】
【０００６】
図１は、本実施形態にかかる情報処理システムの概略構成を示すブロック図である。以下の説明では、本実施形態にかかる情報処理システムがショッピングモールに設けられた場合について説明する。
【０００７】
本実施形態にかかる情報処理システム１０は、商品の広告情報やイベントの情報等のコンテンツを配信する情報配信装置としての情報配信サーバ１１と、情報配信サーバ１１から構内ＬＡＮ（Local  Area  Network）等の通信ネットワーク１２を介して配信されたコンテンツを再生して表示するとともに、ショッピングモールの顧客が携帯する携帯情報端末装置１３に対して、広告情報やイベント情報等の情報に関連する情報を配信する情報表示装置としての複数のデジタルサイネージ（Digital  Signage）端末装置１４と、携帯情報端末装置１３に対して当該携帯情報端末装置１３の位置を特定するための位置特定情報を無線通信により通知する複数の位置情報端末装置１５と、を備えている。
【０００８】
図２は、デジタルサイネージ端末装置１４の外観正面図である。デジタルサイネージ端末装置１４は、液晶ディスプレイあるいはプラズマディスプレイとして構成されたディスプレイユニット２１と、各種チケット、クーポン等を印刷して発行するプリンタユニット２２と、通信距離数センチ〜１０センチ程度の近距離無線通信により携帯情報端末装置１３との間で通信を行う近距離無線通信部２３と、ディスプレイユニット２１、プリンタユニット２２および近距離無線通信部２３を支持する筐体部２４と、を備えている。
【０００９】
筐体部２４の上部には、ユーザを撮影して画像認識を行い、ユーザの年齢層を特定し、配信する情報の種類を制御する等の用途に用いられるカメラユニット２５が内蔵されている。筐体部２４の下部には、ＢＧＭや広告音声等の各種音響出力を行うスピーカユニット２６が内蔵されている。なお、画像認識等の処理は、デジタルサイネージ端末装置１４で行うことなく、情報配信サーバ１１等の上流側サーバで行っても良い。
【００１０】
プリンタユニット２２としては、例えば、ロール紙を記録媒体とする感熱記録方式のプリンタ装置が用いられ、必要に応じてロール紙を自動的にカットするカット機構を備えている。
【００１１】
図３は、デジタルサイネージ端末装置の概略構成を示すブロック図である。デジタルサイネージ端末装置１４は、上述したディスプレイユニット２１、プリンタユニット２２、カメラユニット２５、およびスピーカユニット２６の他、当該デジタルサイネージ端末装置１４全体を制御するコントローラ３１と、オペレータあるいはユーザが各種操作を行うための操作部３２と、通信ネットワーク１２を介して情報配信サーバ１１との間で通信を行うためのネットワーク通信インタフェース（ＩＦ）３３と、近距離無線通信部２３を構成し、携帯情報端末装置１３に対して広告情報やイベント情報等の情報に関連する情報を配信するための情報配信用通信インタフェース（ＩＦ）３４と、各種データを記憶する外部記憶装置３５と、を備えている。
【００１２】
ここで、コントローラ３１は、当該コントローラ３１全体を制御するＭＰＵ（Micro  Processing  Unit）３６と、ＭＰＵ３６が動作するための制御プログラム等を格納したＲＯＭ（Read  Only  Memory）３７と、各種データを一時的に記憶するＲＡＭ（Random  Access  Memory）３８と、を備えている。そして、コントローラ３１は、ＭＰＵ３６がＲＯＭ３７に格納された制御プログラムを実行することにより、通信ネットワーク１２を介して情報配信サーバ１１から配信されたコンテンツを再生して、再生したコンテンツをディスプレイユニット２１に表示する。また、操作部３２は、各種スイッチ、ボタン等で構成したり、タッチパネルとしてディスプレイユニット２１と一体に構成したりしても良い。
【００１３】
また、携帯情報端末装置１３に対して広告情報やイベント情報等の情報に関連する情報を配信するに際しては、情報配信用通信インタフェース（ＩＦ）３４を介した通信の他、ディスプレイユニット２１の表示画面上に例えば２次元バーコードを表示し、携帯情報端末装置１３のカメラユニット２５により撮影させてデコードさせることにより配信するように構成しても良い。
【００１４】
図４は、情報配信サーバの概略構成を示すブロック図である。情報配信サーバ１１は、当該情報配信サーバ１１全体を制御するコントローラ４１と、オペレータが各種操作を行うためのキーボードやマウス等を有する操作部４２と、通信ネットワーク１２を介してデジタルサイネージ端末装置１４との間で通信を行うためのネットワーク通信インタフェース（ＩＦ）４３と、各種データを記憶する外部記憶装置４４と、液晶ディスプレイとして構成されたディスプレイユニット４５と、を備えている。
【００１５】
ここで、コントローラ４１は、当該コントローラ４１全体を制御するＭＰＵ４６、ＭＰＵ４６が動作するための制御プログラム等を格納したＲＯＭ４７と、各種データを一時的に記憶するＲＡＭ４８と、を備えている。
【００１６】
外部記憶装置４４は、広告情報やイベント情報等の情報のコンテンツと、当該コンテンツの再生時間帯毎にリンクされている商品情報や売上ランキング、商品のトレーサビリティ等を示す関連情報としてのリンク先コンテンツと、コンテンツ情報テーブルＴ１（図５参照）と、リンク先コンテンツ情報テーブルＴ２（図６参照）と、を記憶している。なお、本実施形態では、情報配信サーバ１１が有する外部記憶装置４４にコンテンツ、リンク先コンテンツ、コンテンツ情報テーブルＴ１およびリンク先コンテンツ情報テーブルＴ２が記憶されているが、これに限定するものではなく、例えば、情報配信サーバ１１と通信ネットワーク１２を介して接続された記憶装置にコンテンツ、リンク先コンテンツ、コンテンツ情報テーブルＴ１およびリンク先コンテンツ情報テーブルＴ２が記憶されていても良い。また、後述するように、各デジタルサイネージ端末装置１４に記憶部を設け、この記憶部にコンテンツ、リンク先コンテンツ、コンテンツ情報テーブルＴ１およびリンク先コンテンツ情報テーブルＴ２が記憶されていても良い（図１２および図１３参照）。また、リンク先コンテンツは、インターネットを介して得られるＷｅｂページであってもよい。
【００１７】
図５は、コンテンツ情報テーブルのデータ構成を示す図である。図５に示すように、コンテンツ情報テーブルＴ１は、外部記憶装置４４に記憶されたコンテンツを識別する識別情報としてコンテンツＩＤと、当該コンテンツＩＤにより識別されるコンテンツのコンテンツ名と、当該コンテンツＩＤにより識別されるコンテンツを再生した画像のサムネイル画像と、を対応付けて記憶している。
【００１８】
図６は、リンク先コンテンツ情報テーブルのデータ構成を示す図である。図６に示すように、リンク先コンテンツ情報テーブルＴ２は、コンテンツＩＤと、コンテンツ名と、配信番号と、繰返回数と、時間帯と、リンク先コンテンツＩＤと、リンク先コンテンツ名と、メニュー表示位置と、メニュー名と、を対応付けて記憶している。
【００１９】
コンテンツＩＤは、外部記憶装置４４に記憶されたコンテンツのうち、デジタルサイネージ端末装置１４で再生する各コンテンツのそれぞれに付されたコンテンツＩＤである。コンテンツ名は、コンテンツＩＤにより識別されるコンテンツのコンテンツ名である。配信番号は、コンテンツをデジタルサイネージ端末装置１４に配信する順序を表すものである。本実施形態では、デジタルサイネージ端末装置１４は、情報配信サーバ１１から配信されてきた順にコンテンツを再生する。よって、本実施形態において、配信番号は、デジタルサイネージ端末装置１４において複数のコンテンツを連続して再生する場合におけるコンテンツの再生順序を表すものとなる。繰返回数は、デジタルサイネージ端末装置１４においてコンテンツの再生を繰り返す回数である。
【００２０】
時間帯は、１つのコンテンツを複数の時間帯に分けるために設定され、それぞれの時間帯に応じたリンク先コンテンツをリンクすることができる。１つのコンテンツについて、例えば各シーンに応じて時間帯を設定し、それぞれのシーンの内容に沿ったリンク先コンテンツをリンクさせることで、デジタルサイネージ端末装置１４における広告等の情報提供をより効果的に行うことができる。
【００２１】
リンク先コンテンツＩＤは、外部記憶装置４４に記憶されたコンテンツにリンクするリンク先コンテンツを識別するコンテンツＩＤである。リンク先コンテンツ名は、リンク先コンテンツＩＤにより識別されるリンク先コンテンツのコンテンツ名である。
【００２２】
メニュー表示位置は、再生中のコンテンツにおいて、当該再生中のコンテンツにリンクするリンク先コンテンツの再生要求を行うためのメニューボタン（操作画像）を表示する位置である。メニュー名は、メニューボタンに表示する文字情報であり、当該メニューボタンの名称である。
【００２３】
次に、本実施形態にかかる情報配信サーバ１１が有する特徴的な機能について説明する。図７は、本実施形態にかかる情報配信サーバの機能構成を示すブロック図である。ＭＰＵ４６は、ＲＯＭ４７に記憶された制御プログラムに従って動作することで、図７に示すように、記憶部７０１、配信部７０２、受付部７０３、および付加部７０４として機能する。
【００２４】
記憶部７０１は、ＲＯＭ４７、ＲＡＭ４８および外部記憶装置４４に、プログラムやコンテンツ、リンク先コンテンツ等の各種情報を記憶させる。
【００２５】
配信部７０２（第１配信部）は、デジタルサイネージ端末装置１４からコンテンツの配信が要求されると、外部記憶装置４４から、リンク先コンテンツ情報テーブルＴ２に記憶されたコンテンツＩＤにより識別されるコンテンツを読み出す。そして、配信部７０２は、リンク先コンテンツ情報テーブルＴ２において、読み出したコンテンツのコンテンツＩＤと対応付けて記憶された配信番号に従って、当該読み出したコンテンツをデジタルサイネージ端末装置１４に配信する。なお、読み出したコンテンツのコンテンツＩＤと対応付けられた繰返回数が「２」以上である場合には、配信部７０２は、当該読み出したコンテンツの配信を、繰返回数分行った後に、次の配信番号のコンテンツの配信を行う。
【００２６】
また、配信部７０２（第２配信部）は、後述する受付部７０３によりリンク先コンテンツの再生要求が受け付けられると、再生要求を受け付けた際に再生中のコンテンツの再生時間帯毎に設定されたリンク先コンテンツを配信する。本実施形態では、配信部７０２は、受付部７０３によりリンク先コンテンツの再生要求が受け付けられると、リンク先コンテンツ情報テーブルＴ２から、デジタルサイネージ端末装置１４に配信中のコンテンツＩＤおよび再生時間帯と対応付けられたリンク先コンテンツＩＤを読み出す。そして、配信部７０２は、外部記憶装置４４から、読み出したリンク先コンテンツＩＤにより識別されるリンク先コンテンツを読み出す。次いで、配信部７０２は、読み出したリンク先コンテンツをデジタルサイネージ端末装置１４に配信する。
【００２７】
受付部７０３は、デジタルサイネージ端末装置１４のディスプレイユニット２１に表示されたメニューボタンが押下されて行われたリンク先コンテンツの再生要求を受け付けるものである。
【００２８】
付加部７０４は、配信部７０２により読み出したコンテンツの情報に、リンク先コンテンツの配信要求を行うための操作画面としてのメニューボタンを表示するための情報を付加する。
【００２９】
次に、本実施形態にかかるデジタルサイネージ端末装置１４が有する特徴的な機能について説明する。図８は、本実施形態にかかるデジタルサイネージ端末装置１４の機能構成を示すブロック図である。ＭＰＵ３６は、ＲＯＭ３７に記憶された制御プログラムに従って動作することで、図８に示すように、表示部８０１および要求部８０２として機能する。
【００３０】
表示部８０１（第１表示部）は、情報配信サーバ１１から配信されるコンテンツをディスプレイユニット２１に表示する。また、表示部８０１（第２表示部）は、情報配信サーバ１１から配信されるリンク先コンテンツをディスプレイユニット２１に表示する。
【００３１】
受付部８０２は、ディスプレイユニット２１に表示されたメニューボタンが押下されて行われたリンク先コンテンツの再生要求を受け付けるとともに、情報配信サーバ１１に対してリンク先コンテンツの再生要求を行う。
【００３２】
次に、上述した情報処理システム１０を用いてデジタルサイネージ端末装置１４に表示されるコンテンツ、メニューボタンおよびリンク先コンテンツの例を説明する。
【００３３】
図９は、デジタルサイネージ端末装置１４のディスプレイユニット２１に、情報配信サーバ１１から配信されたコンテンツおよびメニューボタンが表示された画面例を示す図である。ディスプレイユニット２１に、コンテンツが表示されるコンテンツ表示領域１００１と、コンテンツ表示領域１００１に重畳してメニューボタン１００２が表示されている。なお、図９に示す画面は、図６に示すリンク先コンテンツ情報テーブルＴ２の、Ｘに示すデータが表示されている状態を示している。
【００３４】
Ｘに示すデータ（図６参照）では、対象コンテンツＩＤは「Ａ０００１」、対象コンテンツ名は「家電」、配信番号は「１」、繰返回数は「２」、時間帯は「０：０：０」〜「０：５：３０」、リンク先コンテンツＩＤは「Ｂ０００１」および「Ｂ０００２」、リンク先コンテンツ名は「商品情報」および「売場情報」、メニュー表示位置は「上下：上」、「左右：右」、「配置：縦」、メニュー名は「夏のおすすめ」および「販売情報」となっている。
【００３５】
このＸに示すデータの各設定に対応し、コンテンツ表示領域１００１には、コンテンツとしてコンテンツＩＤ「Ａ１００１」が付された、家電に関する情報が表示されている。このコンテンツ（以下「コンテンツＡ１００１」という。）は７分５０秒続く動画である。そして、この動画の再生開始から５分３０秒までの時間帯は、図９に示すように、コンテンツＡ１００１に対するリンク先コンテンツとして、リンク先コンテンツＩＤ「Ｂ０００１」（以下「リンク先コンテンツＢ０００１」という。）および「Ｂ０００２」（以下「リンク先コンテンツＢ０００２」という。）の２つのＩＤが付されたリンク先コンテンツがリンクされている。これら２つのリンク先コンテンツＢ０００１およびＢ０００２の再生要求を行うための操作画面であるメニューボタン１００２として、「夏のおすすめ」ボタン１００２ａおよび「販売情報」ボタン１００２ｂが表示されている。２つのメニューボタン１００２ａおよび１００２ｂは、Ｘに示すデータにおけるメニュー表示位置の上下および左右の設定に従い、コンテンツ表示領域１００１の右上に表示され、また、配置の設定に従い、縦に並べて表示されている。
【００３６】
操作者によりメニューボタン１００２ａが押下されると、デジタルサイネージ端末装置１４に設けられているコントローラ３１のＭＰＵ３６（要求部８０２）は、情報配信サーバ１１に対してリンク先コンテンツＢ０００１の再生要求を行う。
【００３７】
リンク先コンテンツＢ１００１の再生要求を受けた情報配信サーバ１１のＭＰＵ４６（受付部７０３）は、記憶部７０１に記憶されているリンク先コンテンツＢ１００１を外部記憶装置４４から読み出す。そして、情報配信サーバ１１のＭＰＵ４６（配信部７０２）は、読み出したリンク先コンテンツＢ１００１をデジタルサイネージ端末装置１４に配信する。
【００３８】
図１０は、リンク先コンテンツの表示例を示す図である。情報配信サーバ１１からリンク先コンテンツＢ１００１が配信されると、図１０に示すように、デジタルサイネージ端末装置１４のディスプレイ２１に、リンク先コンテンツＢ１００１を再生した画面１００３が表示される。画面１００３から前の画面、すなわちコンテンツＡ１００１が表示された画面１００１に戻りたい場合には、画面１００３の下部に表示されている戻るボタン２１１を押す。また、リンク先コンテンツＢ１００１の次のページを見たい場合には、画面１００３の下部に表示されている次頁ボタン２１２を押す。
【００３９】
なお、リンク先コンテンツＢ１００１を例に示したが、リンク先コンテンツＢ１００２が配信された場合にも、同様にしてリンク先コンテンツＢ１００２の内容がディスプレイ２１に表示される。
【００４０】
また、上述した例では、図６のＸに示すコンテンツＡ０００１の０：０：０〜０：５：３０の時間帯についてメニューボタンとして「夏のおすすめ」ボタン１００２ａおよび「販売情報」ボタン１００２ｂが表示されていた。しかし、同じコンテンツＡ０００１が表示されている場合でも、０：５：３０〜０：７：５０の時間帯においては、メニューボタンとして図６に示すように、「キャンペーン」および「イベント」の２つのメニューボタンが表示されるとともに、コンテンツＡ０００１にはそれぞれのメニューボタンに応じたリンク先コンテンツがリンクされる。
【００４１】
次に、図１１を用いて、情報配信サーバ１１におけるコンテンツの配信処理について詳細に説明する。図１１は、情報配信サーバにおけるコンテンツの配信処理の流れを示すフローチャートである。
【００４２】
配信部７０２（第１配信部）は、デジタルサイネージ端末装置１４の電源がＯＮされて、当該デジタルサイネージ端末装置１４からコンテンツの配信が要求されるのを待つ（ステップＳ１２０１：Ｎｏ）。デジタルサイネージ端末装置１４からコンテンツの配信が要求されると（ステップＳ１２０１：Ｙｅｓ）、配信部７０２（第１配信部）は、外部記憶装置４４から、リンク先コンテンツ情報テーブルＴ２に記憶されたコンテンツＩＤにより識別されるコンテンツを読み出す。そして、配信部７０２（第１配信部）は、リンク先コンテンツ情報テーブルＴ２において、読み出したコンテンツのコンテンツＩＤと対応付けて記憶された配信番号に従って、当該読み出したコンテンツのデジタルサイネージ端末装置１４への配信を開始する（ステップＳ１２０２）。
【００４３】
デジタルサイネージ端末装置１４のコントローラ３１は、配信部７０２から配信されたコンテンツを、ネットワーク通信ＩＦ３３を介して受信する。そして、コントローラ３１は、受信したコンテンツを、当該コンテンツを受信した順に再生して、再生したコンテンツの画像をディスプレイユニット２１に表示する。例えば、コンテンツＩＤ：「Ａ０００１」のコンテンツおよびコンテンツＩＤ：「Ａ０００２」のコンテンツの順に受信した場合、コントローラ３１は、コンテンツＩＤ：「Ａ０００１」のコンテンツをディスプレイユニット２１に表示する。そして、コンテンツＩＤ：「Ａ０００１」のコンテンツの再生が終了すると、コントローラ３１は、コンテンツＩＤ：「Ａ０００２」のコンテンツをディスプレイユニット２１に表示する。
【００４４】
また、付加部７０４は、リンク先コンテンツ情報テーブルＴ２において、配信部７０２から配信しているコンテンツのコンテンツＩＤと対応付けられ、再生時間帯に応じたメニュー表示位置およびメニュー名を外部記憶装置４４から取得する。そして、付加部７０４は、取得したメニュー名が表示されたメニューボタンをコンテンツに重畳して表示するための情報をコンテンツに付加して配信することにより、コンテンツにメニューボタンを重畳してディスプレイユニット２１に表示する。
【００４５】
例えば、図６に示すコンテンツＩＤ：「Ａ０００１」のコンテンツがディスプレイユニット２１に表示され、かつ再生開始から０：５：３０までの時間帯において、付加部７０４は、外部記憶装置４４から、コンテンツＩＤ：「Ａ０００１」と対応付けて記憶されたメニュー表示位置（上下：「上」、左右：「右」、配置方向：「縦」）およびメニュー名（「夏のおすすめ」、「販売情報」）を取得する。次いで、付加部７０４は、メニュー名：「夏のおすすめ」が表示されたメニューボタン１００２ａおよび取得したメニュー名：「販売情報」が表示されたメニューボタン１００２ｂを、画像の右上に縦に並べて表示するための情報をデジタルサイネージ端末装置１４に配信する。
【００４６】
デジタルサイネージ端末装置１４においてコンテンツの再生が行われている間、受付部７０３は、リンク先コンテンツの再生要求を待つ（ステップＳ１２０３）。本実施形態では、受付部７０３は、デジタルサイネージ端末装置１４のコントローラ３１によってコンテンツがディスプレイユニット２１に表示されている間、操作部３２（タッチパネル）をタッチ操作したか否かを判断する。
【００４７】
次に、操作部３２をタッチ操作したと受付部７０３が判断した場合（ステップＳ１２０３：Ｙｅｓ）、すなわち、デジタルサイネージ端末装置１４からリンク先コンテンツの再生要求があった場合、配信部７０２（第２配信部）は、当該再生要求として送信される情報に含まれる、操作部３２の操作時点がコンテンツのどの時間帯であるかを示す情報を参照することで、再生要求のあった時間帯を判断する（ステップＳ１２０４）。
【００４８】
次に、配信部７０２（第２配信部）は、外部記憶装置４４に記憶されているリンク先コンテンツ情報テーブルＴ２において、配信部７０２から配信しているコンテンツのコンテンツＩＤと対応付けられた、再生要求のあった時間帯に応じたリンク先から、リンク先コンテンツを取得し、デジタルサイネージ端末装置１４に配信する（ステップＳ１２０５）。
【００４９】
例えば、図６において、コンテンツＡ０００１がディスプレイユニット２１に表示され、かつ再生開始から０：５：３０までの時間帯に、ユーザがデジタルサイネージ端末装置１４のメニューボタン１００２ａを押した場合、配信部７０２（第２配信部）は、外部記憶装置４４からリンク先コンテンツＢ０００１を呼び出し、デジタルサイネージ端末装置１４に配信する。
【００５０】
デジタルサイネージ端末装置１４のコントローラ３１は、配信部７０２から配信されたリンク先コンテンツを、ネットワーク通信ＩＦ３３を介して受信する。そして、コントローラ３１は、受信したリンク先コンテンツを再生して、ディスプレイユニット２１に表示する。例えば、リンク先コンテンツＢ０００１を受信した場合、コントローラ３１は、図１０に示すように、リンク先コンテンツＢ０００１のリンク先コンテンツをディスプレイユニット２１に表示する。
【００５１】
リンク先コンテンツの再生要求が受け付けられなかった場合（ステップＳ１２０３：Ｎｏ）、またはリンク先コンテンツをデジタルサイネージ端末装置１４に配信した後、配信部７０２は、全てのコンテンツを配信したか否かを判断する（ステップＳ１２０６）。全てのコンテンツが配信されていない場合（ステップＳ１２０６：Ｎｏ）、配信部７０２（第１配信部）は、ステップＳ１２０２に戻り残りのコンテンツの配信を行う。一方、全てのコンテンツの配信が行われた場合（ステップＳ１２０６：Ｙｅｓ）、情報配信サーバ１１は、対象コンテンツの配信を終了する。
【００５２】
このように本実施形態にかかる情報処理システムによれば、コンテンツの再生時間帯に応じたリンク先コンテンツを設定することができるので、再生中のコンテンツのシーンに合わせたコンテンツへのリンクを実現することができる。
【００５３】
なお、本実施形態においてはコンテンツとリンク先コンテンツはいずれも情報配信サーバ１１に接続された外部記憶装置４４に保存されていたが、本発明においてはこれに限らず、デジタルサイネージ端末装置１４にコンテンツとリンク先コンテンツを記憶するコンテンツ記憶部を設けてもよい。この場合、コンテンツ記憶部としては、ＲＯＭ３７の他、外部記憶装置３５を用いてもよい（図３参照）。
【００５４】
コンテンツ記憶部としてデジタルサイネージ端末装置１４のＲＯＭ３７を用いた別の実施例に係るデジタルサイネージ端末装置１４の機能構成について、図１２に示す。図１２は、別の実施例に係るデジタルサイネージ端末装置１４の機能構成を示すブロック図である。
【００５５】
ＭＰＵ３６は、ＲＯＭ３７に記憶された制御プログラムに従って動作することで、図１２に示すように、記憶部８１１、表示部８１２、付加部８１４および要求部８１５として機能する。
【００５６】
記憶部８１１は、ＲＯＭ３７およびＲＡＭ３８に、プログラム等の各種情報を記憶させる。また、ＲＯＭ３７は、コンテンツ記憶部として機能し、コンテンツおよびリンク先コンテンツと、コンテンツ情報テーブルＴ１（図５参照）と、リンク先コンテンツ情報テーブルＴ２（図６参照）とを記憶する。
【００５７】
表示部８１２（第１表示部）は、ＲＯＭ３７に記憶されているコンテンツを読み出し、ディスプレイユニット２１に表示する。また、表示部８１２（第２表示部）は、ディスプレイユニット２１に表示されたメニューボタンが押下され、前述したリンク先コンテンツの配信要求に相当する再生要求が行われると、ＲＯＭ３７に記憶されているコンテンツの再生時間帯に応じたリンク先コンテンツを読み出し、ディスプレイユニット２１に表示する。
【００５８】
付加部８１４は、ＲＯＭ３７から読み出したコンテンツの情報に、リンク先コンテンツの再生要求を行うための操作画面としてのメニューボタンを表示するための情報を付加する。
【００５９】
要求部８１５は、ディスプレイユニット２１に表示されたメニューボタンが押下されたとき、表示部８１２に対してリンク先コンテンツの再生要求を行う。
【００６０】
次に、図１３を用いて、デジタルサイネージ端末装置１４におけるコンテンツの再生処理について詳細に説明する。図１３は、デジタルサイネージ端末装置におけるコンテンツの再生処理の流れを示すフローチャートである。
【００６１】
表示部８１２（第１表示部）は、デジタルサイネージ端末装置１４の電源がＯＮされて、操作者によりコンテンツの再生開始操作がされ、再生が要求されるのを待つ（ステップＳ１３０１：Ｎｏ）。再生が要求されると（ステップＳ１３０１：Ｙｅｓ）、表示部８１２（第１表示部）は、ＲＯＭ３７から、リンク先コンテンツ情報テーブルＴ２に記憶されたコンテンツＩＤにより識別されるコンテンツを読み出す。そして、表示部８１２（第１表示部）は、リンク先コンテンツ情報テーブルＴ２において、読み出したコンテンツのコンテンツＩＤと対応付けて記憶された配信番号に従って、当該読み出したコンテンツの再生を開始する（ステップＳ１３０２）。
【００６２】
コントローラ３１は、コンテンツを配信番号順に再生して、ディスプレイユニット２１に表示する。例えば、コントローラ３１は、コンテンツＩＤ：「Ａ０００１」のコンテンツをディスプレイユニット２１に表示する。そして、コンテンツＩＤ：「Ａ０００１」のコンテンツの再生が終了すると、コントローラ３１は、コンテンツＩＤ：「Ａ０００２」のコンテンツをディスプレイユニット２１に表示する。
【００６３】
デジタルサイネージ端末装置１４においてコンテンツの再生が行われている間、表示部８１２（第２表示部）は、リンク先コンテンツの再生要求を待つ（ステップＳ１３０３）。本実施例では、表示部８１２（第２表示部）は、デジタルサイネージ端末装置１４のコントローラ３１によってコンテンツがディスプレイユニット２１に表示されている間、操作部３２（タッチパネル）をタッチ操作したか否かを判断する。
【００６４】
次に、操作部３２をタッチ操作したと判断した場合（ステップＳ１３０８：１３０８：Ｙｅｓ）、すなわち、リンク先コンテンツの再生要求があった場合、表示部８１２（第２表示部）は、再生要求のあった時間帯を判断する（ステップＳ１３０４）。
【００６５】
次に、表示部８１２（第２表示部）は、リンク先コンテンツ情報テーブルＴ２において、表示中のコンテンツのコンテンツＩＤと対応付けられた、再生要求のあった時間帯に応じたリンク先コンテンツのリンク先を認識する。そして、表示部８１２（第２表示部）は、認識されたリンク先からリンク先コンテンツを取得、再生して、ディスプレイユニット２１に表示する（ステップＳ１３０５）。
【００６６】
リンク先コンテンツの再生要求が受け付けられなかった場合（ステップＳ１３０３：Ｎｏ）、またはリンク先コンテンツをデジタルサイネージ端末装置１４に表示した後、表示部８１２（第１表示部）は、全てのコンテンツを再生したか否かを判断する（ステップＳ１３０６）。全てのコンテンツが再生されていない場合（ステップＳ１３０６：Ｎｏ）、表示部８１２（第１表示部）は、ステップＳ１３０２に戻り残りのコンテンツの再生を行う。一方、全てのコンテンツの再生が行われた場合（ステップＳ１３０６：Ｙｅｓ）、表示部８１２（第１表示部）は、コンテンツの再生を終了する。
【００６７】
このように本実施形態にかかる情報処理システムによれば、コンテンツの再生時間帯に応じたリンク先コンテンツを設定することができるので、再生中のコンテンツのシーンに合わせたコンテンツへのリンクを実現することができる。
【００６８】
本実施形態の情報配信サーバ１１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００６９】
また、本実施形態の情報配信サーバ１１で実行されるプログラムを、インターネット等のネットワークに接続されたコンピュータ上に格納し、ネットワーク経由でダウンロードさせることにより提供するように構成しても良い。また、本実施形態の情報配信サーバ１１で実行されるプログラムをインターネット等のネットワーク経由で提供または配布するように構成しても良い。
【００７０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７１】
１４  デジタルサイネージ端末装置
２１  ディスプレイユニット
２５  カメラユニット
３１  コントローラ
３６  ＭＰＵ
３７  ＲＯＭ
３８  ＲＡＭ
【先行技術文献】
【特許文献】
【００７２】
【特許文献１】特開２０１０−１６５３５４号公報
【図１】
2013140542.tif 000003
【図２】
2013140542.tif 000004
【図３】
2013140542.tif 000005
【図４】
2013140542.tif 000006
【図５】
2013140542.tif 000007
【図６】
2013140542.tif 000008
【図７】
2013140542.tif 000009
【図８】
2013140542.tif 000010
【図９】
2013140542.tif 000011
【図１０】
2013140542.tif 000012
【図１１】
2013140542.tif 000013
【図１２】
2013140542.tif 000014
【図１３】
2013140542.tif 000015